(57)【要約】【課題】オーディオ装置における低音をブーストする回路において、ダイナミックレンジも確保しつつ重低音を出力する。【解決手段】低音補正回路１は、Ｌチャンネル及びＲチャンネル毎に、それぞれクリップ回路１０、１６、バンドパスフィルタ１２，１８、ミキシング回路１４，２０を有する。クリップ回路１０，１６は、音声信号のレベルを一定レベルに制限し、バンドパスフィルタ１２，１８は低域成分を抽出するとともに、クリップ回路１０，１６で音声信号をクリップしたことにより生じる基本波と、高調波成分のうち少なくとも２次、３次高調波成分を通過させ、中低域の高調波成分を除去する。ミキシング回路１４，２０で元の音声信号と加算して出力する。【選択図】図１
2005210509.tif 000002
【特許請求の範囲】
【請求項１】
音源からの音声信号の低域成分を抽出するバンドパスフィルタと、
前記音源からの音声信号と、前記バンドパスフィルタを経由した音声信号とを加算するミキシング回路と、
を有する低音補正回路であって、
前記バンドパスフィルタの前段に、所定レベル以上の音声信号をクリップするクリップ回路が設けられることを特徴とする低音補正回路。
【請求項２】
請求項１記載の回路において、
前記バンドパスフィルタは、前記クリップ回路のクリップにより生じた音声信号の波形歪による少なくとも２次あるいは３次の高調波成分を通過し、中高域の高調波成分を除去する
ことを特徴とする低音補正回路。
【請求項３】
請求項１記載の回路において、
前記クリッパ回路はダイオードクリッパ回路であることを特徴とする低音補正回路。
【請求項４】
請求項１記載の回路において、
前記音声信号はＬチャンネル音声信号及びＲチャンネル音声信号を含み、
前記クリップ回路、前記バンドパスフィルタ及びミキシング回路は、前記Ｌチャンネル音声信号及びＲチャンネル音声信号ごとに独立して設けられることを特徴とする低音補正回路。
【請求項５】
請求項１記載の回路において、
前記音声信号はＬチャンネル音声信号およびＲチャンネル音声信号を含み、
前記クリップ回路及びバンドパスフィルタは、前記Ｌチャンネル音声信号及びＲチャンネル音声信号に共通に設けられることを特徴とする低音補正回路。
【請求項６】
請求項１記載の回路において、
前記クリップ回路の動作／非動作を制御する動作スイッチ
を有することを特徴とする低音補正回路。
【請求項７】
請求項３記載の回路において、
前記ダイオードクリッパ回路は、互いに逆向きに並列接続されたダイオードにより前記音声信号の波形を非対称とすることを特徴とする低音補正回路。
【請求項８】
請求項１記載の回路において、
前記バンドパスフィルタは、中心周波数が８０Ｈｚ程度で２０Ｈｚから５００Ｈｚまでの音声信号を通過し、前記クリッパ回路で音声信号のレベルをクリップした場合に生じる高調波成分のうち、５００Ｈｚ以上の高調波成分を除去することを特徴とする低音補正回路。
【発明の詳細な説明】
【技術分野】
【０００１】
本発明は低音補正回路、特に小型スピーカ等における低音再生不良を補正する技術に関する。
【背景技術】
【０００２】
従来より、小型スピーカ等において低域側カットオフ周波数が高く、低音域を良好に再生できないことに鑑み、音声信号の低音をブーストする技術が知られている。
【０００３】
図１２には、低音ブースト回路の一つの回路図が示されており、図１３には、低音をブーストした場合の周波数特性が示されている。図１３においては、２０Ｈｚ〜１ＫＨｚがブーストされることが示されている。
【０００４】
一方、ラジカセのような小型スピーカにおいて１００Ｈｚ以下の低音が再生できない場合、図１３に示されるように一律に低音がブーストされていると音質的に問題が生じる場合がある。そこで、図１４に示されるように、図１２の回路にキャパシタＣ２を設けて低域を減衰する技術も知られている。図１５には、１００Ｈｚ以下を減衰した周波数特性が示されている。
【０００５】
また、下記に示す従来技術には、音源から入力される音声信号の低域周波数成分を抽出し、抽出した低域周波数成分を元の２n倍の周波数帯域にシフトさせて元の音声信号に加算すること等が記載されている。
【０００６】
【特許文献１】特開２００１−２４５３９９号公報
【特許文献２】特開２００１−２４５４００号公報
【特許文献３】特開昭６３−２８６０１４号公報
【特許文献４】特開昭６４−７７９９号公報
【発明の開示】
【発明が解決しようとする課題】
【０００７】
しかしながら、低域成分をブーストして元の音声信号に加算することで低音補正する場合、低域を増幅した分だけ回路のダイナミックレンジが狭まり、特にラジカセのように電源に余裕がない小型オーディオ装置の場合には低域を増幅すればするほど早く音声が歪み、その分、小さな音量になってしまう。
【０００８】
本発明の目的は、音声信号の低域を補正し、かつ、ダイナミックレンジも確保でき、特に小型オーディオ装置に適用して重低音を出力できる回路を提供することにある。
【課題を解決するための手段】
【０００９】
本発明は、音源からの音声信号の低域成分を抽出するバンドパスフィルタと、前記音源からの音声信号と、前記バンドパスフィルタを経由した音声信号とを加算するミキシング回路とを有する低音補正回路であって、前記バンドパスフィルタの前段に、所定レベル以上の音声信号をクリップするクリップ回路が設けられることを特徴とする。
【００１０】
本発明においては、バンドパスフィルタの前段に設けられたクリップ回路により、入力音声信号のレベルが一定レベルに制限される。これにより、低域成分のブースト量を抑制し、ダイナミックレンジを確保する。また、クリップ回路により入力音声信号のレベルをクリップすると、入力音声信号の波形が歪んで高調波成分が生じる。本発明のバンドパスフィルタは、基本波と、クリップ回路により生じた高調波成分のうち、例えば２次高調波や３次高調波などの高調波成分を通過し、それ以外の中高域（例えば１ＫＨｚ以上）の高調波成分を除去する。これらの２次あるいは３次高調波成分の存在により、人間の聴覚上は基本波の低音が出力されているように感じる。これにより、クリップ回路により低域成分のブースト量を抑制していても低音出力を確保できる。
【００１１】
本発明の１つの実施形態では、前記クリッパ回路はダイオードクリップ回路が用いられる。ダイオードクリップ回路を用いることで、音声信号レベルが所定レベル以上になるとクリップ電流が徐々に流れ、増幅量が抑制される。また、例えばダイオードクリップ回路の一対のダイオードを非対称とすることで、２次高調波成分を生じさせる。
【００１２】
入力音声信号がＬチャンネル音声信号及びＲチャンネル音声信号を含むステレオ音声信号である場合、前記クリップ回路、前記バンドパスフィルタ及びミキシング回路は、前記Ｌチャンネル音声信号及びＲチャンネル音声信号ごとに独立して設けることができる。または、前記クリップ回路及びバンドパスフィルタを前記Ｌチャンネル音声信号及びＲチャンネル音声信号に共通に設けることもできる。
【発明の効果】
【００１３】
本発明の低音補正回路によれば、入力音声信号のレベルが高い場合にはクリップ回路によりそのレベルを一定値に制限するため、ダイナミックレンジを確保しつつ低域成分をブーストすることができる。クリップ回路でクリップすることにより低域成分のブースト量はある程度抑制されるが、低域成分の２次、３次を含む高調波成分を出力するため、人間の聴覚上は低域成分があるように聞こえるため低域感を出すことができる。クリップ回路でクリップすることにより生じる中高域の高調波成分は、バンドパスフィルタで十分なレベルまで抑制されるため自然な音感を損なうことはない。
【発明を実施するための最良の形態】
【００１４】
以下、図面に基づき本発明の実施形態について説明する。
【００１５】
図１には、本実施形態に係る低音補正回路１の構成ブロック図が示されている。音源からの音声信号はＬチャンネル音声信号及びＲチャンネル音声信号を含み、各チャンネル毎に機能ブロックがそれぞれ設けられている。
【００１６】
Ｌチャンネル音声信号の機能ブロックは、Ｌクリップ回路（Ｌチャンネル用クリップ回路）１０、Ｌバンドパスフィルタ（Ｌチャンネル用バンドパスフィルタ）１２、及びＬミキシング回路（Ｌチャンネル用ミキシング回路）１４から構成される。Ｒチャンネル音声信号の機能ブロックも、Ｒクリップ回路（Ｒチャンネル用クリップ回路）１６、Ｒバンドパスフィルタ（Ｒチャンネル用バンドパスフィルタ）１８、及びＲミキシング回路（Ｒチャンネル用ミキシング回路）２０から構成される。各チャンネルの機能は同一であるため、以下ではＬチャンネルについて説明する。
【００１７】
Ｌクリップ回路１０は、Ｌチャンネル音声信号のピークレベルを所定値に制限する回路であり、ピークレベルが制限された音声信号はＬバンドパスフィルタ１２に供給される。Ｌクリップ回路１０とＬバンドパスフィルタ１２とにより音声信号の低域成分をブーストするが、Ｌクリップ回路によりそのレベルが一定値に制限されるため、結果として元の音声信号のレベルが低い場合にはブーストされ、元の音声信号のレベルが高い場合にはクリップされて圧縮される。レベルが制限されるため、その分ダイナミックレンジが確保されることになる。
【００１８】
Ｌバンドパスフィルタ１２は、音声信号の低域のみを抽出してＬミキシング回路１４に供給する。Ｌバンドパスフィルタ１２は、低域のみを抽出するだけでなく、Ｌクリップ回路１０でクリップされた場合に生じる高調波成分のうち、不要な高調波成分、すなわち中高域の高調波成分を除去する機能も有する。すなわち、低域が減衰してもその２倍あるいは３倍の高調波成分が存在すると、人間の聴覚上、低域が出力されているように感じるため、これらの高調波を通過して積極的に利用する一方、中高域に存在する高調波は聴感上余分なノイズとなるためこれらを除去することで、低域をクリアに補正する。
【００１９】
Ｌミキシング回路１４は、音源からの元の音声信号とＬバンドパスフィルタ１２からの音声信号とを加算して、補正後の音声信号として出力する。Ｌミキシング回路１４は、それぞれの音声信号のレベルを調整した上で（低域ブースト量の調整）、両音声信号を加算して出力する。
【００２０】
図２には、種々のレベルの音声信号が入力された場合の周波数特性（Ｌミキシング回路１４から出力される音声信号）が示されている。符号ａ、ｂ、ｃ、ｄの順に入力音声レベルが低下しており、入力レベルが高い場合にはＬクリップ回路１０によりレベルが一定値に制限されてダイナミックレンジが確保され、入力レベルが低い場合にはＬクリップ回路１０ではクリップ動作を行わないため結果的に低域がブーストされる周波数特性となる。クリップが実行されない低いレベルでは入力音声信号をほとんどそのまま歪みなく出力するが、クリップが実行される高いレベルでは入力音声信号の波形が歪んで高調波成分が出現する。本実施形態では、既述したようにこのクリップ動作により生じた高調波成分も巧みに利用してダイナミックレンジを確保しつつ低音を出力する。
【００２１】
図３には、Ｌバンドパスフィルタ１２のフィルタ特性が示されている。Ｌバンドパスフィルタ１２は、音声信号の低域のみを抽出するとともにＬクリップ回路１０でクリップしたことにより生じる中高域の高調波成分を除去するようにその特性が設定される。図においては、中心周波数が８０Ｈｚとなるように設定される。Ｌバンドパスフィルタ１２のＱ値（カーブ特性）は所望の値となるように設定される。
【００２２】
図４、図５には、Ｌバンドパスフィルタ１２を通過した音声信号のスペクトルが示されている。図４は、入力音声信号のレベルが低く（図２における符号ｄのレベル）、Ｌクリップ回路１０でクリップ動作を実行しない場合のスペクトルである。クリップ動作を実行しないため入力音声信号には歪みがほとんどなく、高調波成分もほとんど存在せずに基本周波数（図では８０Ｈｚ）が主に出力される。
【００２３】
一方、図５は、入力音声信号のレベルが高く（図２における符号ａのレベル）、Ｌクリップ回路１０でクリップ動作を実行する場合のスペクトルである。クリップするため入力音声信号が歪み、高調波成分が出現する。高調波成分のうち、図３に示されたＬバンドパスフィルタ１２を通過した成分、例えば２倍高調波（図における１６０Ｈｚ）や３倍高調波（２４０Ｈｚ）、４倍高調波（３２０Ｈｚ）は出力音声信号に含まれるが、１ＫＨｚ以上の中高域に含まれる高調波成分は除去される。２倍、３倍、４倍の高調波成分などが低域再生に寄与する。上述した特開２００１−２４５３９９号公報では、音声信号の低域成分を抽出し、これを元の２n倍の周波数にシフトさせているが、本実施形態では、Ｌクリップ回路１０のクリップ動作による波形歪みにより、これと同様の効果を奏していると云うこともできる。
【００２４】
このように、本実施形態では、クリップ回路とバンドパスフィルタとを組み合わせ、これらにより音声信号の低域をブーストするとともに、入力音声信号のレベルを一定値に制限することでダイナミックレンジを確保し、かつ、一定値に制限したことにより生じる高調波成分のうち、聴覚上有効な高調波成分のみをバンドパスフィルタで通過させて音声信号に含めることで、小型スピーカを装備し、電源にも余裕のないラジカセ、ＣＤラジカセ等の小型オーディオ装置においても重低音を再生することができる。
【００２５】
以下、本実施形態の回路構成をより詳細に説明する。
【００２６】
図６には、図１に対応する低音補正回路の回路構成図が示されている。なお、Ｌチャンネル音声信号系統の回路構成を示すが、Ｒチャンネル音声信号系統も同様の構成である。
【００２７】
Ｌクリップ回路１０は、反転入力型のダイオードクリップアンプを含んで構成される。すなわち、音声信号はキャパシタＣ１、抵抗Ｒ１及びキャパシタＣ２を介してオペアンプＸ１の反転入力端子（−）に供給される。ここで、キャパシタＣ１は直流成分をカットするためのキャパシタであり、キャパシタＣ２はオペアンプＸ１を交流アンプとするためでゲインが小さければなくてもよい。オペアンプＸ１の非反転入力端子（＋）は接地され、また、オペアンプＸ１の非反転入力端子と出力端子間には互いに逆向きに接続された一対のダイオードＤ２、Ｄ３が並列に接続される。入力電圧と出力間の信号のピーク電圧がＤ２、Ｄ３のジャンクション電圧より高い場合にはそのダイオードに電流が流れ始めるため出力がクリップされる。抵抗Ｒ１、Ｒ３はゲイン調整用の抵抗で、これらを調整することでダイオードクリップの動作点（動作電圧）を決定する。
【００２８】
ここで、ダイオードクリップを構成するダイオードＤ２，Ｄ３が同一特性の場合には入力音声信号をクリップしたときの歪みにより生じる波形は上下対称となるため、高調波は１次、３次、・・となり、２次高調波等は含まれない。そこで、例えばダイオードＤ３に直列にダイオードを追加する、あるいはダイオードＤ２、Ｄ３のいずれかを他方のダイオードのジャンクション電圧と異なるショットキーダイオードなどに置き換えることで音声信号に非対称な歪みを生じさせ、倍音（２次高調波）を含んだ高調波を生じさせるのが好適である。
【００２９】
Ｌバンドパスフィルタ（ＢＰＦ）１２は、抵抗Ｒ４、Ｒ５，Ｒ６，キャパシタＣ４、Ｃ５及びオペアンプＸ２から構成され、抵抗Ｒ４〜Ｒ６及びキャパシタＣ４，Ｃ５を調整することでその中心周波数とゲイン、Ｑ値を所望の特性に調整する。中心周波数は、図３に示されるように例えば８０Ｈｚに設定する。ＬＢＰＦ１２は、低域（＜５００Ｈｚ）のみを通過させて低域をブーストするとともに、中高域（＞１ＫＨｚ）に含まれる高調波成分を実用上問題ないレベルまで減衰する。減衰量はオペアンプＸ１でのキャパシタＣ３で調整することができる。オペアンプＸ２の非反転入力端子は抵抗Ｒ２１、Ｒ２２でオフセットされた電位に設定されるが、これらの抵抗Ｒ２１、Ｒ２２の値を調整して最大レベル付近で片方の波形がクリップされるようにしても倍音を含んだ高調波成分を生じさせることができる。この場合、出力波形自体がクリップされるため高い周波数帯域まで高調波成分が出力されるので、ＬＢＰＦ１２の出力（例えばキャパシタＣ９と抵抗Ｒ８との間）にキャパシタＣ及び抵抗Ｒからなる時定数回路（ローパスフィルタ）を追加して高域成分を減衰させることが好適である。
【００３０】
Ｌミキシング回路１４は、オペアンプＸ３を含むサミングアンプで構成され、オペアンプＸ３の反転入力端子にＬＢＰＦ１２からの音声信号と、音源から分岐した元の音声信号（Ｌクリップ回路１０及びＬＢＰＦ１２を経由しない音声信号）がともに供給されて加算される。元の音声信号ラインには抵抗Ｒ７が接続され、ＬＢＰＦ１２からの音声信号ラインには抵抗Ｒ８が接続される。これらの抵抗を調整することで、それぞれの音声信号の混合量（低域ブースト量）が調整される。抵抗Ｒ８の前段のキャパシタＣ９はキャパシタＣ２と同様に交流アンプとして機能させるためのもので、ゲインが小さく動作上影響のないオフセット電圧であれば不要である。出力端に接続されたキャパシタＣ６は直流成分をカットするためのものである。
【００３１】
図６に示された回路構成によれば、音声信号のレベルが高くなればＬクリップ回路１０によりそのレベルを一定値に制限するため、ダイナミックレンジを確保することができる。また、Ｌクリップ回路１０が動作した場合には周波数特性上は低域のブースト量が抑制されるが、低域の２次、３次を含む高調波が含まれることになるため、これにより人間の聴覚上は低域があるように聴こえ、ブースト量の抑制を補償できる。
【００３２】
なお、図６における各素子の値は任意に設定することができるが、以下にその一例を示す。
【００３３】
キャパシタ：
Ｃ１＝０．４７μＦ、Ｃ２＝４．７μＦ、Ｃ３＝０．１μＦ、Ｃ４＝Ｃ５＝０．１２μＦ、Ｃ６＝Ｃ９＝４．７μＦ。
【００３４】
抵抗：
Ｒ１＝Ｒ３＝１２ＫΩ、Ｒ４＝Ｒ５＝１０ＫΩ、Ｒ６＝Ｒ７＝５６ＫΩ、Ｒ８＝２２ＫΩ、Ｒ９＝５６ＫΩ。なお、図１６には、これらの値を用いた場合の、入力音声信号レベルが小さいときの周波数特性が示されている。
【００３５】
図７には、図１に対応する低音補正回路の他の回路構成図が示されている。図６と異なる点は、Ｌミキシング回路１４で元の音声信号とＬクリップ回路１０及びＬＢＰＦ１２を経由した音声信号を加算する際に、両音声信号の位相を調整するための回路を付加した点である。
【００３６】
すなわち、ＬＢＰＦ１２によりＬＢＰＦ１２を通過した音声信号はその位相が回転し、低域ブースト量によっては元の音声信号と加算した場合に互いに相殺して数百Ｈｚ付近に谷が出来てしまう場合がある。図２において、例えば符号ｄで示される入力音声信号の場合、符号Ｖで示されるような谷が生じていることがわかる。そこで、図７におけるＬミキシング回路１４では、元の音声信号とＬＢＰＦ１２を通過した音声信号とが見かけ上逆位相となるように加算することで、谷の形成を抑制する。具体的には、元の音声信号をオペアンプＸ３の反転入力端子に供給する一方、ＬＢＰＦ１２を通過した音声信号をオペアンプＸ３の非反転入力端子に供給して逆位相として両信号を加算する。抵抗Ｒ１３によりゲインを調整する。
【００３７】
なお、図３のＬＢＰＦ１２のフィルタ特性に示されるように、数百Ｈｚ付近でゲインがゼロとなる。これ以上の周波数域では位相がほぼ一定となり、音源からの元の音声信号の方がレベルが高くなるため、この領域においてはＬＢＰＦ１２を通過した音声信号と元の音声信号の位相を合わせる必要はない。
【００３８】
以上の例では、Ｌチャンネル音声信号及びＲチャンネル音声信号毎に独立してクリップ回路などを設けたが、構成をより簡易化すべく、クリップ回路などをＬチャンネルとＲチャンネルで共通化することも可能である。
【００３９】
図８には、Ｌチャンネル及びＲチャンネルで共通化した低音補正回路の概念構成図が示されている。Ｌチャンネル及びＲチャンネルに共通にクリップ回路１１及びバンドパスフィルタ１３が設けられる。バンドパスフィルタ１３からの音声信号は分離され、それぞれＬミキシング回路１４及びＲミキシング回路２０に供給される。Ｌミキシング回路１４では元のＬチャンネル音声信号とバンドパスフィルタ１３からの音声信号とを加算して出力し、Ｒミキシング回路２０では元のＲチャンネル音声信号とバンドパスフィルタ１３からの音声信号とを加算して出力する。クリップ回路１１及びバンドパスフィルタ１３の機能は図１に示されたＬクリップ回路１０及びＬバンドパスフィルタ１２と同様であり、それぞれ入力音声信号のレベルを一定値に制限し、また、低域成分を通過させてクリップ回路により生じた高調波成分のうち必要な高調波のみを通過させる。なお、クリップ回路１１は、Ｌチャンネル音声信号とＲチャンネル音声信号とを加算するミキシング機能を付加的に有する。
【００４０】
図９には、図８に対応する低音補正回路の回路構成図が示されている。
【００４１】
クリップ回路１１は、オペアンプＸ１及びオペアンプＸ１の反転入力端子及び出力端子に互いに逆向きに並列接続されたダイオードＤ２、Ｄ３を含んで構成される。Ｌチャンネル音声信号はキャパシタＣ１及び抵抗Ｒ１を介してオペアンプＸ１の反転入力端子に供給され、Ｒチャンネル音声信号もキャパシタＣ２及び抵抗Ｒ２を介してオペアンプＸ１の反転入力端子に供給されて加算される。バンドパスフィルタ（ＢＰＦ）１３は、図６に示されたＬＢＰＦ１２と同様であり、抵抗Ｒ４〜Ｒ６、キャパシタＣ４、Ｃ５、オペアンプＸ２を含んで構成される。
【００４２】
Ｌミキシング回路１４も図６に示されたＬミキシング回路１４と同様であり、抵抗Ｒ７を介して元のＬチャンネル音声信号がオペアンプＸ３の反転入力端子に供給されるとともに、ＢＰＦ１３からの音声信号が抵抗Ｒ８を介してオペアンプＸ３の反転入力端子に供給されて両信号が加算される。抵抗Ｒ７、Ｒ８を調整することで両信号の混合量が調整され、出力端子からＬチャンネル音声信号として出力される。
【００４３】
一方、Ｒミキシング回路２０は、抵抗Ｒ１０、Ｒ１１及びオペアンプＸ４を含んで構成される。抵抗Ｒ１０を介して元のＲチャンネル音声信号がオペアンプＸ３の反転入力端子に供給されるとともに、ＢＰＦ１３からの音声信号が抵抗Ｒ１１を介してオペアンプＸ３の反転入力端子に供給されて両信号が加算される。抵抗Ｒ１０、Ｒ１１を調整することで両信号の混合量が調整され、出力端子からＲチャンネル音声信号として出力される。
【００４４】
各素子の値も任意の設定できるが、その一例を以下に示す。
【００４５】
キャパシタ：
Ｃ１＝Ｃ２＝０．４７μＦ、Ｃ３＝０．１μＦ、Ｃ４＝Ｃ５＝０．１２μＦ、Ｃ６＝Ｃ７＝Ｃ８＝Ｃ９＝４．７μＦ。
【００４６】
抵抗：
Ｒ１＝Ｒ２＝Ｒ３＝１２ＫΩ、Ｒ４＝Ｒ５＝１０ＫΩ、Ｒ６＝Ｒ７＝５６ＫΩ、Ｒ８＝２２ＫΩ、Ｒ９＝Ｒ１０＝５６ＫΩ。
【００４７】
図９の例においても、ＢＰＦ１３を通過した音声信号は元の音声信号に対して位相が回転しているため、両信号をそのまま加算すると数百Ｈｚ付近に谷が生じるおそれがある。そこで、図９の場合も図７の場合と同様に、両信号の位相を逆転させて加算することが好適である。
【００４８】
図１０には、この場合の回路構成図が示されている。Ｌミキシング回路１４において、ＢＰＦ１３からの音声信号はオペアンプＸ３の非反転入力端子に供給されて元の音声信号と加算される。また、Ｒミキシング回路２０において、ＢＰＦ１３からの音声信号はオペアンプＸ４の非反転入力端子に供給されて元の音声信号と加算される。
【００４９】
このように、クリップ回路１１とＢＰＦ１３とを２つのチャンネルで共通化することで、構成部品の削減を図り、回路全体の小型化及びコスト低減を図ることができる。
【００５０】
以上、本発明の実施形態について説明したが、本発明はこれに限定されるものではなく種々の変形が可能である。
【００５１】
図１１には、他の回路構成図が示されている。クリップ回路１１内に抵抗Ｒ２３、Ｒ２４からなる分圧回路１９を設け、分圧電圧をオペアンプＸ１、Ｘ２及びＸ３の非反転入力端子に供給する構成である。これにより、クリップ回路などの共通化と併せ、より構成を簡易化できる。
【００５２】
また、本実施形態においてはクリップ回路１０，１１，１６、バンドパスフィルタ１２，１３，１８及びミキシング回路１４，２０を常に動作させているが（クリップ回路は入力音声信号のレベルが低い場合にはクリップ動作を行わないが、回路自体として動作状態にある）、これらの回路の動作／非動作を切り替える動作スイッチを設け、ユーザが必要に応じて本実施形態の回路を動作させるか否かを選択できるように構成してもよい。これにより、重低音をあまり重視しないユーザ、あるいは再生すべき音声信号によっては本実施形態の回路動作をＯＦＦとしても問題ない場合には非動作を選択することでユーザの嗜好に合致させることもできる。
【００５３】
さらに、抵抗Ｒ１、Ｒ２を可変抵抗とするか、もしくは抵抗Ｒ１、Ｒ２の前に可変抵抗を接続することにより、低域調整ボリュームとして作用させてもよい。
【図面の簡単な説明】
【００５４】
【図１】実施形態の概念構成図（チャンネル独立型）である。
【図２】実施形態の出力音声信号の周波数特性図である。
【図３】実施形態のバンドパスフィルタ（ＢＰＦ）の周波数特性図である。
【図４】クリップ回路がクリップしない場合の高調波成分図である。
【図５】クリップ回路がクリップ動作する場合の高調波成分図である。
【図６】実施形態の回路構成図（チャンネル独立型）である。
【図７】実施形態の他の回路構成図（チャンネル独立型）である。
【図８】実施形態の他の概念構成図（チャンネル共通型）である。
【図９】実施形態の回路構成図（チャンネル共通型）である。
【図１０】実施形態の他の回路構成図（チャンネル共通型）である。
【図１１】実施形態の他の回路構成図（チャンネル共通型）である。
【図１２】従来の低音ブースト回路の回路図である。
【図１３】図１２の低音ブースト回路の周波数特性図である。
【図１４】他の従来の低音ブースト回路の回路図である。
【図１５】図１４の低音ブースト回路の周波数特性図である。
【図１６】実施形態における特定の数値を用いた場合の周波数特性図である。
【符号の説明】
【００５５】
１  低音補正回路、１０  Ｌクリップ回路（Ｌチャンネルクリップ回路）、１１  クリップ回路（共通クリップ回路）、１２  Ｌバンドパスフィルタ（Ｌチャンネルバンドパスフィルタ）、１３  バンドパスフィルタ（共通バンドパスフィルタ）、１４  Ｌミキシング回路（Ｌチャンネルミキシング回路）、１６  Ｒクリップ回路（Ｒチャンネルクリップ回路）、１８  Ｒバンドパスフィルタ（Ｒチャンネルバンドパスフィルタ）、１９  分圧回路、２０  Ｒミキシング回路（Ｒチャンネルミキシング回路）。
【図１】
2005210509.tif 000003
【図２】
2005210509.tif 000004
【図３】
2005210509.tif 000005
【図４】
2005210509.tif 000006
【図５】
2005210509.tif 000007
【図６】
2005210509.tif 000008
【図７】
2005210509.tif 000009
【図８】
2005210509.tif 000010
【図９】
2005210509.tif 000011
【図１０】
2005210509.tif 000012
【図１１】
2005210509.tif 000013
【図１２】
2005210509.tif 000014
【図１３】
2005210509.tif 000015
【図１４】
2005210509.tif 000016
【図１５】
2005210509.tif 000017
【図１６】
2005210509.tif 000018